(57)【要約】【課題】電子メールの送信位置を高い信頼性で保証する電子メール配信システム、基地局装置、電子メール合成装置、通信端末装置、電子メール配信方法、プログラムを提供する。【解決手段】通信端末装置２０は、本文中に空白部分を設けた電子メールを自装置と無線通信網が確立されている基地局装置１０に送信する。基地局装置１０は、電子メールを受信すると、基地局装置１０の設置位置（基地局装置１０のセル）、および基地局装置１０が通信端末装置２０から電子メールを受信した時期を示す情報（スタンプ）を、電子メールの本文中の空白部分に合成する。基地局装置１０は、スタンプを合成した電子メールをネットワークおよび無線通信網を介して受信側の通信端末装置３０に送信する。【選択図】        図２
2004185141.tif 000002
【特許請求の範囲】
【請求項１】
電子メールの送受信を無線で行う通信端末装置と、該通信端末装置と所定のネットワークを介して接続されている電子メール合成装置とを有する電子メール配信システムであって、
前記電子メール合成装置は、
前記送信側の通信端末装置から受信した電子メールに、前記通信端末装置が前記電子メールを送信した位置に関連する電子情報である位置関連情報を合成し、該合成した電子メールを前記受信側の通信端末装置に送信することを特徴とする電子メール配信システム。
【請求項２】
電子メールの送受信を無線で行う通信端末装置と、該通信端末装置と所定のネットワークを介して接続されている電子メール合成装置とを有する電子メール配信システムであって、
前記電子メール合成装置は、
前記送信側の通信端末装置から受信した電子メールに、前記通信端末装置が位置する基地局のサービスエリアに関連する電子情報である位置関連情報を合成し、該合成した電子メールを前記受信側の通信端末装置に送信することを特徴とする電子メール配信システム。
【請求項３】
前記電子メール合成装置は、
前記送信側の通信端末装置から電子メールを受信した時期を示す時間情報を取得し、該取得した時間情報を前記受信した電子メールに合成し、該合成した電子メールを前記受信側の通信端末装置に送信することを特徴とする請求項１または２記載の電子メール配信システム。
【請求項４】
前記電子メール合成装置は、
前記位置関連情報のうち、前記時間情報に関連する前記位置関連情報を抽出し、該抽出した位置関連情報を前記受信した電子メールに合成し、該合成した電子メールを前記受信側の通信端末装置に送信することを特徴とする請求項３記載の電子メール配信システム。
【請求項５】
前記電子メール合成装置は、
前記受信した電子メールの本文中に設けられた文字情報が記入されていない空白領域に、前記時間情報を合成することを特徴とする請求項３または４記載の電子メール配信システム。
【請求項６】
前記電子メール合成装置は、
前記受信した電子メールの本文中に設けられた文字情報が記入されていない空白領域に、前記位置関連情報を合成することを特徴とする請求項１から５のいずれか１項に記載の電子メール配信システム。
【請求項７】
前記通信端末装置は、
前記電子メールに所定の情報の合成を要求する旨の合成要求情報を、前記電子メールに挿入し、該合成要求情報を挿入した電子メールを送信することを特徴とする請求項１から６のいずれか１項に記載の電子メール配信システム。
【請求項８】
電子メールの送受信を無線で行う通信端末装置と、前記通信端末装置の接続を制御する基地局装置とを有する電子メール配信システムであって、
前記送信側の通信端末装置は、
電子メールを送信するメール送信手段を有し、
前記基地局装置は、
前記基地局装置の設置位置に関連する内容の電子情報である位置関連情報を格納する位置関連情報格納手段と、
前記送信側の通信端末装置から電子メールを受信するメール受信手段と、
前記位置関連情報格納手段により格納された位置関連情報を、前記メール受信手段により受信された電子メールに合成する合成手段と、
前記合成手段により位置関連情報が合成された電子メールを送信する合成メール送信手段と、
を有することを特徴とする電子メール配信システム。
【請求項９】
前記基地局装置は、
前記メール受信手段により電子メールが受信された時期を示す時間情報を取得する時間情報取得手段を有し、
前記合成手段は、
前記時間取得手段により取得された時間情報を前記受信された電子メールに合成することを特徴とする請求項８記載の電子メール配信システム。
【請求項１０】
前記合成手段は、
前記位置関連情報格納手段により格納された位置関連情報のうち、前記時間情報取得手段により取得された時間情報に対応した位置関連情報を抽出して、前記受信された電子メールに合成することを特徴とする請求項９記載の電子メール配信システム。
【請求項１１】
基地局を介して電子メールの送受信を無線で行う通信端末装置と、電子メール合成装置と、前記通信端末装置の位置情報を格納するホームロケーションレジスタとが所定のネットワークを介して接続されている電子メール配信システムであって、
前記送信側の通信端末装置は、
電子メールを送信するメール送信手段を有し、
前記電子メール合成装置は、
各基地局のサービスエリアに関連する位置関連情報を格納する位置関連情報格納手段と、
前記送信側の通信端末装置から電子メールを受信するメール受信手段と、
前記送信側の通信端末装置が位置する基地局のサービスエリアを示す位置情報を前記ホームロケーションレジスタに対して要求し、取得する位置情報取得手段と、
前記位置関連情報格納手段により格納された位置関連情報のうち、前記位置情報取得手段により取得された位置情報に基づいた位置関連情報を抽出し、該抽出した位置関連情報を、前記メール受信手段により受信された電子メールに合成する合成手段と、
前記合成手段により位置関連情報が合成された電子メールを送信する合成メール送信手段と、
を有することを特徴とする電子メール配信システム。
【請求項１２】
前記電子メール合成装置は、
前記メール受信手段により電子メールが受信された時期を示す時間情報を取得する時間情報取得手段を有し、
前記合成手段は、
前記時間取得手段により取得された時間情報を前記受信された電子メールに合成することを特徴とする請求項１１記載の電子メール配信システム。
【請求項１３】
前記合成手段は、
前記位置関連情報格納手段により格納された位置関連情報のうち、前記位置情報および前記時間情報取得手段により取得された時間情報に対応した位置関連情報を抽出して、前記受信された電子メールに合成することを特徴とする請求項１２記載の電子メール配信システム。
【請求項１４】
前記合成手段は、
前記受信された電子メールの本文中に設けられた文字情報が記入されていない空白領域に、前記時間情報を合成することを特徴とする請求項９、１０、１２、または１３のいずれか１項に記載の電子メール配信システム。
【請求項１５】
前記合成手段は、
前記受信された電子メールの本文中に設けられた文字情報が記入されていない空白領域に、前記位置関連情報を合成することを特徴とする請求項８から１４のいずれか１項に記載の電子メール配信システム。
【請求項１６】
前記送信側の通信端末装置は、
電子メールに所定の情報の合成を要求する旨の合成要求情報を、前記電子メールに挿入する合成要求手段と、
前記合成要求手段により合成要求情報が挿入された電子メールを送信するメール送信手段と、
を有することを特徴とする請求項８から１５のいずれか１項に記載の電子メール配信システム。
【請求項１７】
無線通信網を介して電子メールの送受信を行う通信端末装置の接続を制御する基地局装置であって、
前記基地局装置の設置位置に関連する内容の電子情報である位置関連情報を格納する位置関連情報格納手段と、
前記送信側の通信端末装置から電子メールを受信するメール受信手段と、
前記位置関連情報格納手段により格納された位置関連情報を、前記メール受信手段により受信された電子メールに合成する合成手段と、
前記合成手段により位置関連情報が合成された電子メールを送信する合成メール送信手段と、
を有することを特徴とする基地局装置。
【請求項１８】
前記メール受信手段により電子メールが受信された時期を示す時間情報を取得する時間情報取得手段を有し、
前記合成手段は、
前記時間取得手段により取得された時間情報を前記受信された電子メールに合成することを特徴とする請求項１７記載の基地局装置。
【請求項１９】
前記合成手段は、
前記位置関連情報格納手段により格納された位置関連情報のうち、前記時間情報取得手段により取得された時間情報に対応した位置関連情報を抽出して、前記受信された電子メールに合成することを特徴とする請求項１８記載の基地局装置。
【請求項２０】
前記合成手段は、
前記受信された電子メールの本文中に設けられた文字情報が記入されていない空白領域に、前記時間情報および前記位置関連情報を合成することを特徴とする請求項１８または１９記載の基地局装置。
【請求項２１】
無線通信網および基地局を介して電子メールの送受信を行う通信端末装置と、該通信端末装置の位置情報を格納するホームロケーションレジスタと所定のネットワークを介して接続されている電子メール合成装置であって、
各基地局のサービスエリアに関連する位置関連情報を格納する位置関連情報格納手段と、
前記通信端末装置から電子メールを受信するメール受信手段と、
前記送信側の通信端末装置が位置する基地局のサービスエリアを示す位置情報を前記ホームロケーションレジスタに対して要求し、取得する位置情報取得手段と、
前記位置関連情報格納手段により格納された位置関連情報のうち、前記位置情報取得手段により取得された位置情報に基づいた位置関連情報を抽出し、該抽出した位置関連情報を、前記メール受信手段により受信された電子メールに合成する合成手段と、
前記合成手段により位置関連情報が合成された電子メールを送信する合成メール送信手段と、
を有し、前記電子メールの送受信を行う通信端末装置間に位置することを特徴とする電子メール合成装置。
【請求項２２】
前記メール受信手段により電子メールが受信された時期を示す時間情報を取得する時間情報取得手段を有し、
前記合成手段は、
前記時間取得手段により取得された時間情報を前記受信された電子メールに合成することを特徴とする請求項２１記載の電子メール合成装置。
【請求項２３】
前記合成手段は、
前記位置関連情報格納手段により格納された位置関連情報のうち、前記位置情報および前記時間情報取得手段により取得された時間情報に対応した位置関連情報を抽出して、前記受信された電子メールに合成することを特徴とする請求項２２記載の電子メール合成装置。
【請求項２４】
前記合成手段は、
前記受信された電子メールの本文中に設けられた文字情報が記入されていない空白領域に、前記時間情報および前記位置関連情報を合成することを特徴とする請求項２２または２３記載の電子メール合成装置。
【請求項２５】
電子メールに所定の情報の合成を要求する旨の合成要求情報を、前記電子メールに挿入する合成要求手段と、
前記合成要求手段により合成要求情報が挿入された電子メールを送信するメール送信手段と、
を有することを特徴とする通信端末装置。
【請求項２６】
前記合成要求手段は、
前記電子メールの本文中に文字情報が記入されていない空白領域を作成し、前記空白領域に前記所定の情報の合成を要求する旨の合成要求情報を、前記電子メールに挿入することを特徴とする請求項２５記載の通信端末装置。
【請求項２７】
電子メールの送受信を行う通信端末装置と、前記通信端末装置の接続を制御する基地局装置とを有する電子メール配信システムを用いる電子メール配信方法であって、
前記送信側の通信端末装置が、電子メールを送信するメール送信工程と、
前記基地局装置が、自装置の設置位置に関連する内容の電子情報である位置関連情報を格納する位置関連情報格納工程と、
前記基地局装置が、前記送信側の通信端末装置から電子メールを受信するメール受信工程と、
前記基地局装置が、前記位置関連情報格納工程により格納した位置関連情報を、前記メール受信工程により受信した電子メールに合成する合成工程と、
前記合成工程により位置関連情報を合成した電子メールを送信する合成メール送信工程と、
を有することを特徴とする電子メール配信方法。
【請求項２８】
電子メールの送受信を行う通信端末装置と、前記通信端末装置の接続を制御する基地局装置とを有する電子メール配信システムを用いる電子メール配信方法であって、
前記送信側の通信端末装置が、電子メールに所定の情報の合成を要求する旨の合成要求情報を、前記電子メールに挿入する合成要求工程と、
前記送信側の通信端末装置が、前記合成要求工程により合成要求情報が挿入した電子メールを送信するメール送信工程と、
前記基地局装置が、自装置の設置位置に関連する内容の電子情報である位置関連情報を格納する位置関連情報格納工程と、
前記基地局装置が、前記送信側の通信端末装置から電子メールを受信するメール受信工程と、
前記基地局装置が、前記メール受信工程により受信した電子メールに前記合成要求情報が挿入されているか否かを判定する合成要求判定工程と、
前記基地局装置が、前記合成要求判定工程により電子メールに前記合成要求情報が挿入されていると判定した場合、前記位置関連情報格納工程により格納した位置関連情報を、前記メール受信工程により受信した電子メールに合成する合成工程と、
前記基地局装置が、前記合成工程により位置関連情報を合成した電子メールを送信する合成メール送信工程と、
を有することを特徴とする電子メール配信方法。
【請求項２９】
前記基地局装置が、前記メール受信工程により電子メールを受信した時期を示す時間情報を取得する時間情報取得工程を有し、
前記合成工程は、
前記基地局装置が、前記時間取得工程により取得した時間情報を前記受信した電子メールに合成することを特徴とする請求項２７または２８記載の電子メール配信方法。
【請求項３０】
前記合成工程は、
前記基地局装置が、前記位置関連情報格納工程により格納した位置関連情報のうち、前記時間情報取得工程により取得した時間情報に対応した位置関連情報を抽出して、前記受信した電子メールに合成することを特徴とする請求項２９記載の電子メール配信方法。
【請求項３１】
前記合成工程は、
前記基地局装置が、前記受信した電子メールの本文中に設けられた文字情報が記入されていない空白領域に、前記時間情報を合成することを特徴とする請求項２９または３０記載の電子メール配信方法。
【請求項３２】
前記合成工程は、
前記基地局装置が、前記受信した電子メールの本文中に設けられた文字情報が記入されていない空白領域に、前記位置関連情報を合成することを特徴とする請求項２７から３１のいずれか１項に記載の電子メール配信方法。
【請求項３３】
基地局を介して電子メールを送受信する通信端末装置と、電子メール合成装置と、前記通信端末装置の位置情報を格納するホームロケーションレジスタとが所定のネットワークを介して接続されている電子メール配信システムを用いる電子メール配信方法であって、
前記送信側の通信端末装置が、電子メールに所定の情報の合成を要求する旨の合成要求情報を、前記電子メールに挿入する合成要求工程と、
前記合成要求工程により合成要求情報が挿入された電子メールを送信するメール送信工程とを有し、
前記電子メール合成装置が、各基地局のサービスエリアに関連する位置関連情報を格納する位置関連情報格納工程と、
前記電子メール合成装置が、前記送信側の通信端末装置から電子メールを受信するメール受信工程と、
前記電子メール合成装置が、前記メール受信工程により受信した電子メールに前記合成要求情報が挿入されているか否かを判定する合成要求判定工程と、
前記電子メール合成装置が、前記合成要求判定工程により電子メールに前記合成要求情報が挿入されていると判定した場合、前記送信側の通信端末装置が位置する基地局のサービスエリアを示す位置情報を前記ホームロケーションレジスタに対して要求し、取得する位置情報取得工程と、
前記電子メール合成装置が、前記位置関連情報格納工程により格納した位置関連情報のうち、前記位置情報取得工程により取得した位置情報に基づいた位置関連情報を抽出し、該抽出した位置関連情報を、前記メール受信工程により受信した電子メールに合成する合成工程と、
前記電子メール合成装置が、前記合成工程により位置関連情報を合成した電子メールを送信する合成メール送信工程と、
を有することを特徴とする電子メール配信方法。
【請求項３４】
前記電子メール合成装置が、前記メール受信工程により電子メールを受信した時期を示す時間情報を取得する時間情報取得工程を有し、
前記合成工程は、
前記電子メール合成装置が、前記時間取得工程により取得した時間情報を前記受信した電子メールに合成することを特徴とする請求項３３記載の電子メール配信方法。
【請求項３５】
前記合成工程は、
前記電子メール合成装置が、前記位置関連情報格納工程により格納した位置関連情報のうち、前記位置情報および前記時間情報取得工程により取得した時間情報に対応した位置関連情報を抽出して、前記受信した電子メールに合成することを特徴とする請求項３４記載の電子メール配信方法。
【請求項３６】
前記合成工程は、
前記電子メール合成装置が、前記受信した電子メールの本文中に設けられた文字情報が記入されていない空白領域に、前記時間情報を合成することを特徴とする請求項３４または３５記載の電子メール配信方法。
【請求項３７】
前記合成工程は、
前記電子メール合成装置が、前記受信した電子メールの本文中に設けられた文字情報が記入されていない空白領域に、前記位置関連情報を合成することを特徴とする請求項３３から３６のいずれか１項に記載の電子メール配信方法。
【請求項３８】
基地局を介して電子メールの送受信を無線で行う通信端末装置と、前記通信端末装置の位置情報を格納するホームロケーションレジスタとに所定のネットワークを介して接続されているコンピュータに処理を実行させるためのプログラムであって、
各基地局のサービスエリアに関連する位置関連情報を格納する位置関連情報格納処理と、
前記送信側の通信端末装置から電子メールを受信するメール受信処理と、
前記送信側の通信端末装置が位置する基地局のサービスエリアを示す位置情報を前記ホームロケーションレジスタに対して要求し、取得する位置情報取得処理と、
前記位置関連情報格納処理により格納された位置関連情報のうち、前記位置情報取得処理により取得された位置情報に基づいた位置関連情報を抽出し、該抽出した位置関連情報を、前記メール受信処理により受信された電子メールに合成する合成処理と、
前記合成処理により位置関連情報が合成された電子メールを送信する合成メール送信処理と、
をコンピュータに実行させるためのプログラム。
【請求項３９】
前記合成処理は、
前記メール受信処理により受信された電子メールの本文中に設けられた文字情報が記入されていない空白領域に、前記位置関連情報および前記電子メール受信処理により前記電子メールが受信された時期を示す情報を合成することを特徴とする請求項３８記載のプログラム。
【発明の詳細な説明】
【０００１】
【発明の属する技術分野】
本発明は、電子メール配信システム、基地局装置、電子メール合成装置、通信端末装置、電子メール配信方法、プログラムに関し、特に、電子メールの送信位置を保証するための位置情報を付加する電子メール配信システム、基地局装置、電子メール合成装置、通信端末装置、電子メール配信方法、プログラムに関する。
【０００２】
【従来の技術】
近年、インターネットなどのネットワーク技術の発達によって、電子情報送付の際にその送付先を示す情報を送付する電子情報に付加するといったサービスが、電気通信事業者などにより提供されてきた。
【０００３】
例えば、特開２００２−１５２８０１号公報（以下、特許文献１）が開示するところの位置情報送信装置および位置情報送信方法があった。特許文献１では、携帯電話が位置情報を伝えるようにシステム制御装置に要求すると、システム制御装置は、携帯電話の位置を特定し、特定した位置に基づいて地図情報を作成していた。ファクシミリ装置は、システム制御装置から地図情報を受け取ると、受け取った地図情報を印刷出力していた。このようにして、特許文献１では、ファクシミリ装置の所持者は、携帯電話の所持者の現在地を把握することを可能にしていた。
【０００４】
また、同様に位置情報を伝えるものとして、特開２００１−２２９０９４号公報（以下、特許文献２）が開示するところの絵はがき電子メール装置及び絵はがき電子メール配信システムがあった。特許文献２では、絵はがきとして送付を希望する画像の選択情報、送信メッセージ、および送信先メールアドレスが入力されると、選択された画像および入力された送信メッセージを絵はがき電子メールとして、入力された送信先メールアドレスに送信していた。
【０００５】
【特許文献１】
特開２００２−１５２８０１号公報
【特許文献２】
特開２００１−２２９０９４号公報
【０００６】
【発明が解決しようとする課題】
しかしながら、特許文献１記載の発明は、地図情報の送信要求をシステム制御装置に送信し、システム制御装置がその要求に基づいて地図情報をファクシミリ装置に送信するものであって、送信される情報に、送信側の端末の位置情報を保証するための情報を付加するものではなかった。
【０００７】
また、特許文献２記載の発明は、絵はがきの図柄として選択される画像内容が、絵はがき電子メールを送信する装置の設置場所と対応していない可能性があり、選択される画像が、必ずしも絵はがき電子メールの送信位置を示していない。また、絵はがきの図柄となる画像は、あくまでも送信側の装置で選択されるものであるので、送信側の端末の位置を特定するためには信頼性に欠く。
【０００８】
本発明は、上記問題点に鑑みてなされたものであり、電子メールの送信位置を高い信頼性で保証する電子メール配信システム、基地局装置、電子メール合成装置、通信端末装置、電子メール配信方法、プログラムを提供することを目的とする。
【０００９】
【課題を解決するための手段】
かかる目的を達成するため、請求項１記載の発明は、電子メールの送受信を無線で行う通信端末装置と、通信端末装置と所定のネットワークを介して接続されている電子メール合成装置とを有する電子メール配信システムであって、電子メール合成装置は、送信側の通信端末装置から受信した電子メールに、通信端末装置が電子メールを送信した位置に関連する電子情報である位置関連情報を合成し、合成した電子メールを受信側の通信端末装置に送信することを特徴とする。
【００１０】
また、請求項２記載の発明は、電子メールの送受信を無線で行う通信端末装置と、通信端末装置と所定のネットワークを介して接続されている電子メール合成装置とを有する電子メール配信システムであって、電子メール合成装置は、送信側の通信端末装置から受信した電子メールに、通信端末装置が位置する基地局のサービスエリアに関連する電子情報である位置関連情報を合成し、合成した電子メールを受信側の通信端末装置に送信することを特徴とする。
【００１１】
また、請求項３記載の発明によれば、請求項１または２記載の電子メール配信システムにおいて、電子メール合成装置は、送信側の通信端末装置から電子メールを受信した時期を示す時間情報を取得し、取得した時間情報を受信した電子メールに合成し、合成した電子メールを受信側の通信端末装置に送信することを特徴とする。
【００１２】
また、請求項４記載の発明によれば、請求項３記載の電子メール配信システムにおいて、電子メール合成装置は、位置関連情報のうち、時間情報に関連する位置関連情報を抽出し、抽出した位置関連情報を受信した電子メールに合成し、合成した電子メールを受信側の通信端末装置に送信することを特徴とする。
【００１３】
また、請求項５記載の発明によれば、請求項３または４記載の電子メール配信システムにおいて、電子メール合成装置は、受信した電子メールの本文中に設けられた文字情報が記入されていない空白領域に、時間情報を合成することを特徴とする。
【００１４】
また、請求項６記載の発明によれば、請求項１から５のいずれか１項に記載の電子メール配信システムにおいて、電子メール合成装置は、受信した電子メールの本文中に設けられた文字情報が記入されていない空白領域に、位置関連情報を合成することを特徴とする。
【００１５】
また、請求項７記載の発明によれば、請求項１から６のいずれか１項に記載の電子メール配信システムにおいて、通信端末装置は、電子メールに所定の情報の合成を要求する旨の合成要求情報を、電子メールに挿入し、合成要求情報を挿入した電子メールを送信することを特徴とする。
【００１６】
また、請求項８記載の発明は、電子メールの送受信を無線で行う通信端末装置と、通信端末装置の接続を制御する基地局装置とを有する電子メール配信システムであって、送信側の通信端末装置は、電子メールを送信するメール送信手段を有し、基地局装置は、基地局装置の設置位置に関連する内容の電子情報である位置関連情報を格納する位置関連情報格納手段と、送信側の通信端末装置から電子メールを受信するメール受信手段と、位置関連情報格納手段により格納された位置関連情報を、メール受信手段により受信された電子メールに合成する合成手段と、合成手段により位置関連情報が合成された電子メールを送信する合成メール送信手段と、を有することを特徴とする。
【００１７】
また、請求項９記載の発明によれば、請求項８記載の電子メール配信システムにおいて、基地局装置は、メール受信手段により電子メールが受信された時期を示す時間情報を取得する時間情報取得手段を有し、合成手段は、時間取得手段により取得された時間情報を受信された電子メールに合成することを特徴とする。
【００１８】
また、請求項１０記載の発明によれば、請求項９記載の電子メール配信システムにおいて、合成手段は、位置関連情報格納手段により格納された位置関連情報のうち、時間情報取得手段により取得された時間情報に対応した位置関連情報を抽出して、受信された電子メールに合成することを特徴とする。
【００１９】
また、請求項１１記載の発明は、基地局を介して電子メールの送受信を無線で行う通信端末装置と、電子メール合成装置と、通信端末装置の位置情報を格納するホームロケーションレジスタとが所定のネットワークを介して接続されている電子メール配信システムであって、送信側の通信端末装置は、電子メールを送信するメール送信手段を有し、電子メール合成装置は、各基地局のサービスエリアに関連する位置関連情報を格納する位置関連情報格納手段と、送信側の通信端末装置から電子メールを受信するメール受信手段と、送信側の通信端末装置が位置する基地局のサービスエリアを示す位置情報をホームロケーションレジスタに対して要求し、取得する位置情報取得手段と、位置関連情報格納手段により格納された位置関連情報のうち、位置情報取得手段により取得された位置情報に基づいた位置関連情報を抽出し、抽出した位置関連情報を、メール受信手段により受信された電子メールに合成する合成手段と、合成手段により位置関連情報が合成された電子メールを送信する合成メール送信手段と、を有することを特徴とする。
【００２０】
また、請求項１２記載の発明によれば、請求項１１記載の電子メール配信システムにおいて、電子メール合成装置は、メール受信手段により電子メールが受信された時期を示す時間情報を取得する時間情報取得手段を有し、合成手段は、時間取得手段により取得された時間情報を受信された電子メールに合成することを特徴とする。
【００２１】
また、請求項１３記載の発明によれば、請求項１２記載の電子メール配信システムにおいて、合成手段は、位置関連情報格納手段により格納された位置関連情報のうち、位置情報および時間情報取得手段により取得された時間情報に対応した位置関連情報を抽出して、受信された電子メールに合成することを特徴とする。
【００２２】
また、請求項１４記載の発明によれば、請求項９、１０、１２、または１３のいずれか１項に記載の電子メール配信システムにおいて、合成手段は、受信された電子メールの本文中に設けられた文字情報が記入されていない空白領域に、時間情報を合成することを特徴とする。
【００２３】
また、請求項１５記載の発明によれば、請求項８から１４のいずれか１項に記載の電子メール配信システムにおいて、合成手段は、受信された電子メールの本文中に設けられた文字情報が記入されていない空白領域に、位置関連情報を合成することを特徴とする。
【００２４】
また、請求項１６記載の発明によれば、請求項８から１５のいずれか１項に記載の電子メール配信システムにおいて、送信側の通信端末装置は、電子メールに所定の情報の合成を要求する旨の合成要求情報を、電子メールに挿入する合成要求手段と、合成要求手段により合成要求情報が挿入された電子メールを送信するメール送信手段と、を有することを特徴とする。
【００２５】
また、請求項１７記載の発明は、無線通信網を介して電子メールの送受信を行う通信端末装置の接続を制御する基地局装置であって、基地局装置の設置位置に関連する内容の電子情報である位置関連情報を格納する位置関連情報格納手段と、送信側の通信端末装置から電子メールを受信するメール受信手段と、位置関連情報格納手段により格納された位置関連情報を、メール受信手段により受信された電子メールに合成する合成手段と、合成手段により位置関連情報が合成された電子メールを送信する合成メール送信手段と、を有することを特徴とする。
【００２６】
また、請求項１８記載の発明によれば、請求項１７記載の基地局装置において、メール受信手段により電子メールが受信された時期を示す時間情報を取得する時間情報取得手段を有し、合成手段は、時間取得手段により取得された時間情報を受信された電子メールに合成することを特徴とする。
【００２７】
また、請求項１９記載の発明によれば、請求項１８記載の基地局装置において、合成手段は、位置関連情報格納手段により格納された位置関連情報のうち、時間情報取得手段により取得された時間情報に対応した位置関連情報を抽出して、受信された電子メールに合成することを特徴とする。
【００２８】
また、請求項２０記載の発明によれば、請求項１８または１９記載の基地局装置において、合成手段は、受信された電子メールの本文中に設けられた文字情報が記入されていない空白領域に、時間情報および位置関連情報を合成することを特徴とする。
【００２９】
また、請求項２１記載の発明は、無線通信網および基地局を介して電子メールの送受信を行う通信端末装置と、通信端末装置の位置情報を格納するホームロケーションレジスタと所定のネットワークを介して接続されている電子メール合成装置であって、各基地局のサービスエリアに関連する位置関連情報を格納する位置関連情報格納手段と、通信端末装置から電子メールを受信するメール受信手段と、送信側の通信端末装置が位置する基地局のサービスエリアを示す位置情報をホームロケーションレジスタに対して要求し、取得する位置情報取得手段と、位置関連情報格納手段により格納された位置関連情報のうち、位置情報取得手段により取得された位置情報に基づいた位置関連情報を抽出し、抽出した位置関連情報を、メール受信手段により受信された電子メールに合成する合成手段と、合成手段により位置関連情報が合成された電子メールを送信する合成メール送信手段と、を有し、電子メールの送受信を行う通信端末装置間に位置することを特徴とする。
【００３０】
また、請求項２２記載の発明によれば、請求項２１記載の電子メール合成装置において、メール受信手段により電子メールが受信された時期を示す時間情報を取得する時間情報取得手段を有し、合成手段は、時間取得手段により取得された時間情報を受信された電子メールに合成することを特徴とする。
【００３１】
また、請求項２３記載の発明によれば、請求項２２記載の電子メール合成装置において、合成手段は、位置関連情報格納手段により格納された位置関連情報のうち、位置情報および時間情報取得手段により取得された時間情報に対応した位置関連情報を抽出して、受信された電子メールに合成することを特徴とする。
【００３２】
また、請求項２４記載の発明によれば、請求項２２または２３記載の電子メール合成装置において、合成手段は、受信された電子メールの本文中に設けられた文字情報が記入されていない空白領域に、時間情報および位置関連情報を合成することを特徴とする。
【００３３】
また、請求項２５記載の発明は、電子メールに所定の情報の合成を要求する旨の合成要求情報を、電子メールに挿入する合成要求手段と、合成要求手段により合成要求情報が挿入された電子メールを送信するメール送信手段と、を有することを特徴とする。
【００３４】
また、請求項２６記載の発明によれば、請求項２５記載の通信端末装置において、合成要求手段は、電子メールの本文中に文字情報が記入されていない空白領域を作成し、空白領域に所定の情報の合成を要求する旨の合成要求情報を、電子メールに挿入することを特徴とする。
【００３５】
また、請求項２７記載の発明は、電子メールの送受信を行う通信端末装置と、通信端末装置の接続を制御する基地局装置とを有する電子メール配信システムを用いる電子メール配信方法であって、送信側の通信端末装置が、電子メールを送信するメール送信工程と、基地局装置が、自装置の設置位置に関連する内容の電子情報である位置関連情報を格納する位置関連情報格納工程と、基地局装置が、送信側の通信端末装置から電子メールを受信するメール受信工程と、基地局装置が、位置関連情報格納工程により格納した位置関連情報を、メール受信工程により受信した電子メールに合成する合成工程と、合成工程により位置関連情報を合成した電子メールを送信する合成メール送信工程と、を有することを特徴とする。
【００３６】
また、請求項２８記載の発明は、電子メールの送受信を行う通信端末装置と、通信端末装置の接続を制御する基地局装置とを有する電子メール配信システムを用いる電子メール配信方法であって、送信側の通信端末装置が、電子メールに所定の情報の合成を要求する旨の合成要求情報を、電子メールに挿入する合成要求工程と、送信側の通信端末装置が、合成要求工程により合成要求情報が挿入した電子メールを送信するメール送信工程と、基地局装置が、自装置の設置位置に関連する内容の電子情報である位置関連情報を格納する位置関連情報格納工程と、基地局装置が、送信側の通信端末装置から電子メールを受信するメール受信工程と、基地局装置が、メール受信工程により受信した電子メールに合成要求情報が挿入されているか否かを判定する合成要求判定工程と、基地局装置が、合成要求判定工程により電子メールに合成要求情報が挿入されていると判定した場合、位置関連情報格納工程により格納した位置関連情報を、メール受信工程により受信した電子メールに合成する合成工程と、基地局装置が、合成工程により位置関連情報を合成した電子メールを送信する合成メール送信工程と、を有することを特徴とする。
【００３７】
また、請求項２９記載の発明によれば、請求項２７または２８記載の電子メール配信方法において、基地局装置が、メール受信工程により電子メールを受信した時期を示す時間情報を取得する時間情報取得工程を有し、合成工程は、基地局装置が、時間取得工程により取得した時間情報を受信した電子メールに合成することを特徴とする。
【００３８】
また、請求項３０記載の発明によれば、請求項２９記載の電子メール配信方法において、合成工程は、基地局装置が、位置関連情報格納工程により格納した位置関連情報のうち、時間情報取得工程により取得した時間情報に対応した位置関連情報を抽出して、受信した電子メールに合成することを特徴とする。
【００３９】
また、請求項３１記載の発明によれば、請求項２９または３０記載の電子メール配信方法において、合成工程は、基地局装置が、受信した電子メールの本文中に設けられた文字情報が記入されていない空白領域に、時間情報を合成することを特徴とする。
【００４０】
また、請求項３２記載の発明によれば、請求項２７から３１のいずれか１項に記載の電子メール配信方法において、合成工程は、基地局装置が、受信した電子メールの本文中に設けられた文字情報が記入されていない空白領域に、位置関連情報を合成することを特徴とする。
【００４１】
また、請求項３３記載の発明は、基地局を介して電子メールを送受信する通信端末装置と、電子メール合成装置と、通信端末装置の位置情報を格納するホームロケーションレジスタとが所定のネットワークを介して接続されている電子メール配信システムを用いる電子メール配信方法であって、送信側の通信端末装置が、電子メールに所定の情報の合成を要求する旨の合成要求情報を、電子メールに挿入する合成要求工程と、合成要求工程により合成要求情報が挿入された電子メールを送信するメール送信工程とを有し、電子メール合成装置が、各基地局のサービスエリアに関連する位置関連情報を格納する位置関連情報格納工程と、電子メール合成装置が、送信側の通信端末装置から電子メールを受信するメール受信工程と、電子メール合成装置が、メール受信工程により受信した電子メールに合成要求情報が挿入されているか否かを判定する合成要求判定工程と、電子メール合成装置が、合成要求判定工程により電子メールに合成要求情報が挿入されていると判定した場合、送信側の通信端末装置が位置する基地局のサービスエリアを示す位置情報をホームロケーションレジスタに対して要求し、取得する位置情報取得工程と、電子メール合成装置が、位置関連情報格納工程により格納した位置関連情報のうち、位置情報取得工程により取得した位置情報に基づいた位置関連情報を抽出し、抽出した位置関連情報を、メール受信工程により受信した電子メールに合成する合成工程と、電子メール合成装置が、合成工程により位置関連情報を合成した電子メールを送信する合成メール送信工程と、を有することを特徴とする。
【００４２】
また、請求項３４記載の発明によれば、請求項３３記載の電子メール配信方法において、電子メール合成装置が、メール受信工程により電子メールを受信した時期を示す時間情報を取得する時間情報取得工程を有し、合成工程は、電子メール合成装置が、時間取得工程により取得した時間情報を受信した電子メールに合成することを特徴とする。
【００４３】
また、請求項３５記載の発明によれば、請求項３４記載の電子メール配信方法において、合成工程は、電子メール合成装置が、位置関連情報格納工程により格納した位置関連情報のうち、位置情報および時間情報取得工程により取得した時間情報に対応した位置関連情報を抽出して、受信した電子メールに合成することを特徴とする。
【００４４】
また、請求項３６記載の発明によれば、請求項３４または３５記載の電子メール配信方法において、合成工程は、電子メール合成装置が、受信した電子メールの本文中に設けられた文字情報が記入されていない空白領域に、時間情報を合成することを特徴とする。
【００４５】
また、請求項３７記載の発明によれば、請求項３３から３６のいずれか１項に記載の電子メール配信方法において、合成工程は、電子メール合成装置が、受信した電子メールの本文中に設けられた文字情報が記入されていない空白領域に、位置関連情報を合成することを特徴とする。
【００４６】
また、請求項３８記載の発明は、基地局を介して電子メールの送受信を無線で行う通信端末装置と、通信端末装置の位置情報を格納するホームロケーションレジスタとに所定のネットワークを介して接続されているコンピュータに処理を実行させるためのプログラムであって、各基地局のサービスエリアに関連する位置関連情報を格納する位置関連情報格納処理と、送信側の通信端末装置から電子メールを受信するメール受信処理と、送信側の通信端末装置が位置する基地局のサービスエリアを示す位置情報をホームロケーションレジスタに対して要求し、取得する位置情報取得処理と、位置関連情報格納処理により格納された位置関連情報のうち、位置情報取得処理により取得された位置情報に基づいた位置関連情報を抽出し、抽出した位置関連情報を、メール受信処理により受信された電子メールに合成する合成処理と、合成処理により位置関連情報が合成された電子メールを送信する合成メール送信処理と、をコンピュータに実行させることを特徴とする。
【００４７】
また、請求項３９記載の発明によれば、請求項３８記載のプログラムにおいて、合成処理は、メール受信処理により受信された電子メールの本文中に設けられた文字情報が記入されていない空白領域に、位置関連情報および電子メール受信処理により電子メールが受信された時期を示す情報を合成することを特徴とする。
【００４８】
【発明の実施の形態】
（第１の実施形態の概要）
図１は、本発明の第１の実施形態における電子メール配信システムを示すイメージ図である。以下、図１を用いて、本実施形態の概要について説明する。
【００４９】
本実施形態における電子メール配信システムは、電子メールの送信元の位置および送信時期を示す情報を、電子メールの本文中に付加するものである。電子メールの受信側のユーザは、送信側のユーザの所在位置、および電子メールの送信時期を把握することが可能となる。
【００５０】
図１に示されているように、電子メール送信側の通信端末装置は、本文中に空白部分を設けた電子メールを、自装置と無線通信網が確立されている基地局装置に送信する。基地局装置は、電子メールを受信すると、電子メールの本文中の空白部分にスタンプを付加する。スタンプとは、基地局装置が保持している画像、文字情報、または音声情報であり、基地局装置の設置位置（基地局装置のセル）、および基地局装置が送信側の通信端末装置から電子メールを受信した時期を示すものである。
【００５１】
基地局装置は、スタンプを付加した電子メールをネットワークおよび無線通信網を介して受信側の通信端末装置に送信する。受信側の通信端末装置が受信した電子メールには、本文中に基地局装置の設置位置および基地局装置によるメール受信時期を示す情報（スタンプ）が付加されている。なお、通信端末装置が電子メールを送信してから基地局装置が受信するまでの時間は微小であり、基地局装置におけるメール受信時期は、移動通信端末におけるメール送信時期を示すものとしてよい。従って、受信側のユーザは、送信側のユーザが電子メールを送った位置（送信側の通信端末装置が位置する基地局装置のセル）および送信時期を容易に把握することができる。
【００５２】
（第１の実施形態の構成）
図２は、本発明の第１の実施形態における電子メール配信システムの構成を示す図である。以下、図２を用いて、本実施形態における電子メール配信システムの構成および動作について説明する。
【００５３】
電子メール配信システムは、基地局装置（ＢＳ：Ｂａｓｅ  Ｓｔａｔｉｏｎ）１０、５０と、通信端末装置２０、３０と、ネットワーク４０とを有する。通信端末装置２０・基地局装置１０間、および通信端末装置３０・基地局装置５０間は、無線通信網を介して通信が行われる。また、基地局装置１０、５０は、ネットワーク４０に接続されている。
【００５４】
なお、通信端末装置２０から基地局装置１０までの電子メールの送信時間は、基地局装置１０におけるメール受信時期を移動通信端末２０におけるメール送信時期としてもよい程度に小さいものとする。
【００５５】
通信端末装置２０は、無線による電子メール送信機能を備えた通信装置であって、例えば携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、またはノートブック型のパーソナルコンピュータなどであってもよい。通信端末装置２０は、基地局装置１０のサービスエリア（セル）内に位置する。
【００５６】
通信端末装置２０は、スタンプ要求部２１と、メール送信部２２とを有する。スタンプ要求部２１は、送信する電子メールにスタンプ付加を要求するための情報を入力する。例えば、スタンプ要求部２１は、キースイッチが設けられた入力装置であるとしてもよい。メール送信部２２は、電子メールを送信する部位である。また、図示されていないが、通信端末装置２０は、画面上に情報を表示する表示部を有する。例えば、表示部は、ＬＣＤ（Ｌｉｑｕｉｄ  Ｃｒｙｓｔａｌ  Ｄｉｓｐｌａｙ）または有機ＥＬ（Ｅｌｅｃｔｒｏｌｕｍｉｎｅｓｃｅｎｃｅ）ディスプレイなどであってもよい。
【００５７】
基地局装置１０は、通信端末装置（通信端末装置２０）の接続を制御する無線局である。
【００５８】
基地局装置１０は、メール受信部１１と、スタンプ要求検出部１２と、合成部１３と、ＢＳ位置情報記憶部１４と、時間情報取得部１５と、コンテンツＤＢ１６と、メール送信部１７とを有する。
【００５９】
メール受信部１１は、通信端末装置（通信端末装置２０）から送信された電子メールを受信する。
【００６０】
スタンプ要求検出部１２は、メール受信部１１により受信された電子メールが、スタンプ付加が要求されているものか否かを判定する。
【００６１】
合成部１３は、メール受信部１１により受信された電子メールにスタンプを合成する。
【００６２】
ＢＳ位置情報記憶部１４は、基地局装置１０が設置されている位置（基地局装置１０のサービスエリア）を示すＢＳ位置情報を格納している。例えば、基地局装置１０が多摩地域に設置されている場合、ＢＳ位置情報は「多摩局」などの基地局装置１０の設置位置を示す文字情報であってもよい。
【００６３】
時間情報取得部１５は、現在時刻を示す時間情報を格納している。例えば、時間情報取得部１５は、現在時刻を計測するタイマ機能を備えた部位であるとしてもよいし、時間情報の取得要求を受け取ると、接続されている他の機器から時間情報を取得するとしてもよい。
【００６４】
コンテンツＤＢ１６は、コンテンツ（ファイル）を格納する。コンテンツとは、電子メールにスタンプとして付加される画像、映像、文字情報、または音声情報などであって、通信端末装置２０が位置する基地局のサービスエリア（通信端末装置２０が所属するセル）に関連する内容の情報、すなわち基地局装置１０の設置位置に関連する内容の情報である。コンテンツＤＢ１６は、各時間帯に対応したコンテンツを格納している。例えば、コンテンツが基地局装置１０のセル内の風景画像であった場合、コンテンツＤＢ１６は、朝の風景画像、昼間の風景画像、夕方の風景画像、夜の風景画像というように、各時間帯に対応したコンテンツを格納する。また、コンテンツＤＢ１６は、各コンテンツがどの時間帯（時間情報）に対応したものかを示すテーブルを管理する。
【００６５】
メール送信部１７は、メール受信部１１により受信された電子メールを送信する部位である。
【００６６】
ネットワーク４０は、移動端末装置と基地局装置との無線区間以外の中継回線ネットワークであって、基地局制御装置、移動交換局装置、関門交換局装置、およびホームロケーションレジスタ（ＨＬＲ：Ｈｏｍｅ  Ｌｏｃａｔｉｏｎ  Ｒｅｇｉｓｔｅｒ）などを含むとしてよい。
【００６７】
基地局装置５０は、通信端末装置（通信端末装置３０）の接続を制御する無線局であって、送信機、受信機、およびアンテナなどから構成される。
【００６８】
通信端末装置３０は、無線による電子メール受信機能を備えた通信装置であって、例えば携帯電話機、ＰＨＳ、ＰＤＡ、またはパーソナルコンピュータなどであってもよい。通信端末装置３０は、基地局装置５０のセル内に位置する。
【００６９】
また、メール送信部２２はメール送信手段として、コンテンツＤＢ１６は位置関連情報格納手段として、メール受信部１１はメール受信手段として、合成部１３は合成手段として、メール送信部１７は合成メール送信手段として、時間情報取得部１５は時間情報取得手段として、スタンプ要求部２１は合成要求手段としてそれぞれ機能する。
【００７０】
（第１の実施形態の動作）
図３は、本発明の第１の実施形態における通信端末装置２０による動作の流れを示すフローチャートである。以下、図２を用い、図３に沿って、本実施形態における通信端末装置２０による電子メール送信動作について説明する。なお、本実施形態では、スタンプとして電子メールに合成するコンテンツは、基地局装置１０に関連する画像であるとして説明を進める。
【００７１】
まず、通信端末装置２０は電子メールを作成する。電子メール送信側のユーザは、作成された電子メールにスタンプ挿入を希望する場合、スタンプ要求部２１を操作してスタンプ挿入を要求する旨の情報を入力する。通信端末装置２０は、作成した電子メールに対してスタンプ要求部２１によりスタンプ付加が要求されたか否かを判断する（ステップＳ１０１）。
【００７２】
電子メールにスタンプ付加が要求されていないと判断された場合（ステップＳ１０１／Ｎｏ）、メール送信部２２は、スタンプを要求する旨の情報を電子メールに挿入することなくそのまま基地局装置１０に対して通常の電子メール送信を行う（ステップＳ１０３）。
【００７３】
電子メールにスタンプ付加が要求されていると判断された場合（ステップＳ１０１／Ｙｅｓ）、通信端末装置２０は、作成した電子メールのヘッダに、スタンプを要求する旨の情報を挿入する。なお、電子メールのヘッダとは、電子メールのソースコードにおいて電子メールの送受信を制御するための制御情報が記述される領域を示す。次に、メール送信部２２は、スタンプ要求された電子メールを基地局装置１０に送信する（ステップＳ１０３）。
【００７４】
ここで、電子メールに対するスタンプ付加を要求する旨の情報の挿入処理について具体的に説明する。図４は、本発明の第１の実施形態において、電子メールに対してスタンプ挿入を要求する場合の電子メール作成画面を示す図である。電子メール作成画面は、通信端末装置２０に設けられた表示部上に表示される。
【００７５】
図４に示されているように、電子メール作成画面上には、ヘッダ部１０１と、本文１０２と、スタンプ部１０３と、送信キー１０４とが含まれる。ヘッダ部１０１は、電子メールの題名および宛先を入力する部位である。スタンプ部１０３は、本文入力欄における本文１０２の冒頭部分に設けられた空白領域（文字情報が存在しない領域）であり、電子メール送信側のユーザにより情報の付加が許可されている領域である。スタンプ要求部２１によりスタンプ挿入を要求する旨の情報が入力されると、本文１０２の冒頭部分にスタンプ部１０３が形成される。例えば、スタンプ要求部２１には改行キーが設けられており、改行キーを所定回数押下することにより、スタンプ部１０３が作成され、スタンプ付加を要求する旨の情報が電子メールのヘッダに挿入されるとしてもよい。その後、送信キー１０４が選択されると、通信端末装置２０は基地局装置１０に対してスタンプ挿入を要求して電子メールを送信する。なお、本実施形態では、スタンプ部１０３は本文１０２の冒頭部分に設けられるとしたが、電子メールの他の部分に設けるようにしてもよい。
【００７６】
図５は、本発明の第１の実施形態において、電子メールに対してスタンプ挿入を要求しない場合の電子メール作成画面を示す図である。
【００７７】
スタンプ要求部２１がスタンプ挿入を要求する旨の情報を入力しない場合、電子メール作成画面上の本文１０２の冒頭部分に空白領域が形成されない。この場合、その後送信キー１０４が選択されると、通信端末装置２０はスタンプ挿入を基地局装置１０に対して要求することなく通常の電子メールの送信動作を行う。
【００７８】
図６は、本発明の第１の実施形態における電子メール作成画面の変形例を示す図である。図６に示される電子メール作成画面上には、さらにスタンプ送信キー１０５が設けられている。この変形例では、スタンプ送信キー１０５が選択された場合、メール送信部２２は、スタンプ要求が付加された電子メールを基地局装置１０に対して送信する。また、送信キー１０４が選択された場合、メール送信部２２は、スタンプ付加を要求することなくそのまま電子メールを基地局装置１０に対して送信する。
【００７９】
図７は、本発明の第１の実施形態における基地局装置１０による動作の流れを示すフローチャートである。以下、図２を用い、図７に沿って、本実施形態における基地局装置１０による電子メールに対するコンテンツの合成動作について説明する。
【００８０】
まず、メール受信部１１は、通信端末装置２０から電子メールを受信する（ステップＳ２０１）。
【００８１】
次に、スタンプ要求検出部１２は、メール受信部１１により受信された電子メールのヘッダを参照して、受信された電子メールに対してスタンプ付加が要求されているか否かを判断する（ステップＳ２０２）。
【００８２】
受信された電子メールに対してスタンプ付加が要求されていないと判断された場合（ステップＳ２０２／Ｎｏ）、スタンプ要求検出部１２は、電子メールをメール送信部１７に渡す。メール送信部１７は、受け取った電子メールをそのまま宛先の通信端末装置（通信端末装置３０）に送信して（ステップＳ２０７）、基地局装置１０は動作を終了する。
【００８３】
電子メールに対してスタンプ付加が要求されていると判断された場合（ステップＳ２０２／Ｙｅｓ）、スタンプ要求検出部１２は、電子メールを合成部１３に渡す。合成部１３は、電子メールを受け取ると、電子メールを受け取った現在時刻を示す時間情報の取得を時間情報取得部１５に要求する。時間情報取得部１５は、時間情報の取得要求を受け取ると、現在時刻を示す時間情報を合成部１３に渡す（ステップＳ２０３）。
【００８４】
次に、合成部１３は、基地局装置１０の設置位置を示すＢＳ位置情報の取得をＢＳ位置情報記憶部１４に要求する。ＢＳ位置情報記憶部１４は、ＢＳ位置情報の取得要求を合成部１３から受け取ると、自身に格納されているＢＳ位置情報を合成部１３に渡す（ステップＳ２０４）。
【００８５】
次に、合成部１３は、時間情報取得部１５から取得した時間情報を用いてコンテンツＤＢ１６を検索する（ステップＳ２０５）。
【００８６】
図８は、本発明の第１の実施形態におけるコンテンツＤＢ１６が管理するテーブルを示す図である。図８に示されているように、テーブルでは、時間情報とコンテンツ（ファイル）とがそれぞれ対応付けられて管理されている。各コンテンツは、基地局装置１０の設置位置に関連する内容のものであり、例えば、基地局装置１０の設置位置周辺の風景画像／映像であってもよいし、基地局装置１０設置位置周辺の地図情報であってもよい。また、コンテンツは、基地局装置１０に関連する内容の音声情報であってもよい。
【００８７】
図８において、「××：××−△△：△△」は、××時××分から△△時△△分の直前までの時間帯を示している。例えば、「１２：００−１５：００」は、１２時００分から１５時００分の直前までの時間帯を示している。ここで、時間情報が「１月１日の１２：００」であった場合、合成部１３は、該当するファイルＡをコンテンツＤＢ１６から抽出する。
【００８８】
なお、図８のテーブルでは、各時間帯と各コンテンツとが一対一対応となっているが、各時間帯に対して複数のコンテンツをそれぞれ対応させるようにしてもよい。その場合、合成部１３は、時間情報に該当する複数のコンテンツのうちの１つをランダムに選択して抽出するようにしてもよい。
【００８９】
また、図８のテーブルでは、各時間帯と各コンテンツとを互いに対応付けて管理しているが、さらに時間情報の日付を対応付けて管理してもよい。例えば、時間情報が「４月１日の１２：００」である場合、対応するコンテンツは「満開の桜の風景画像」とし、時間情報が「１１月１日の１２：００」である場合、対応するコンテンツは「あざやかな紅葉の風景画像」であるとしてもよい。
【００９０】
次に、合成部１３は、抽出したコンテンツ（ファイルＡ）と取得した時間情報（１月１日の１２：００）とＢＳ位置情報とからなるスタンプを電子メールに合成する（ステップＳ２０６）。
【００９１】
図９は、本発明の第１の実施形態における基地局装置１０によるスタンプ合成の一例を示す図である。以下、図９を用いて、電子メールに対するスタンプ合成について具体的に説明する。
【００９２】
図９には、スタンプ合成前の電子メールとスタンプ合成後の電子メールとが示されている。スタンプ合成前の電子メールでは、本文の冒頭部分に空白領域（スタンプ部）が設けられている。合成部１３は、コンテンツ（図９では基地局装置１０周辺の風景画像）と、時間情報（図９では「１月１日１２：００」を示す文字情報）と、ＢＳ位置情報（図９では「多摩局」を示す文字情報）とを電子メール上のスタンプ部に合成する。
【００９３】
合成部１３は、電子メールにスタンプ合成を行った後、スタンプ合成した電子メール（以下、合成メール）をメール送信部１７に渡す。メール送信部１７は、受け取った合成メールをネットワーク４０および基地局装置５０を介して通信端末装置３０に送信する（ステップＳ２０７）。その後、メール受信部３１が合成メールを受信すると、電子メール配信システムは、電子メールの配信動作を終了する。
【００９４】
なお、合成部１３による電子メールに対するスタンプ合成方法としては、ＨＴＭＬ（Ｈｙｐｅｒ  Ｔｅｘｔ  Ｍａｒｋｕｐ  Ｌａｎｇｕａｇｅ）形式の電子メールの本文中に画像、映像、または音声情報などからなるスタンプを挿入するとしてもよい。スタンプが画像／映像であった場合、通信端末装置３０が合成メールを受信して開封すると、画像／映像が挿入された本文中が通信端末装置３０のディスプレイ上に表示／再生される。また、スタンプが音声情報であった場合、通信端末装置３０が受信した合成メールを開封すると、スタンプの音声情報が通信端末装置３０のスピーカから出力される。
【００９５】
また、合成部１３は、挿入するスタンプを示すアイコンなどのＧＵＩ部品を電子メール上に設けるようにしてもよい。その場合、基地局装置１０は、電子メールにスタンプを対応付けて通信端末装置３０に送信する。通信端末装置３０は、電子メールを受信して開封すると、電子メールにスタンプを示すアイコンが表示される。通信端末装置３０は、電子メール上のスタンプを示すアイコンをクリックすると、スタンプが画像／映像の場合、通信端末装置３０のディスプレイ上に表示される。スタンプが音声情報の場合は、スタンプは通信端末装置３０のスピーカから出力される。
【００９６】
また、合成部１３は、メール受信部１１により受信された電子メールにスタンプを示すファイルを添付するようにしてもよい。その場合、通信端末装置２０は、送信する電子メールの本文中に、予め空白領域（スタンプ部１０３）を設けなくてもよい。
【００９７】
また、合成部１３は、電子メールのスタンプ部１０３の大きさに応じて、スタンプとして挿入される画像または映像のサイズを拡大／縮小し、スタンプ部１０３に合成するようにしてもよい。
【００９８】
また、通信端末装置２０による合成メール受信後、メール受信者は、その電子メールのスタンプに示されている電子メール送信の位置および時間の正当性を、本実施形態におけるスタンプ合成サービスのサービス事業者側に確認することができる。以下、メール受信者がそのスタンプの正当性を確認するための電子メール配信システムの動作について説明する。
【００９９】
例えば、通信端末装置２０は、受信した合成メールを別の電子メール（問い合わせメール）に添付して、サービス事業者側のサーバ装置（図示せず）に送るなどして受信した合成メールの正当性を問い合わせる。
【０１００】
サービス事業者側のサーバ装置には、スタンプの合成履歴（合成メールの送信元・送信先アドレス、スタンプとして合成した位置・時間情報など）が格納されている。サーバ装置は、問い合わせメールを受信すると、問い合わせメールに添付されている合成メールから、合成メールに関する情報（合成メールの送信元・送信先アドレス、スタンプとして合成した位置・時間情報など）を抽出する。サーバ装置は、抽出した合成メールに関する情報と、自身に格納されているスタンプ合成履歴とを比較する。サーバ装置は、比較した両情報の整合性を確認すると、スタンプに示された情報が正当なものであると判定し、その旨が示された電子メールを通信端末装置２０に返信する。一方、サーバ装置は、比較した両情報の整合性ができない場合、スタンプに示された情報が正当なものではないと判定し、その旨が示された電子メールを通信端末装置２０に返信する。このようにして、合成メールの受信者は、その合成メールに示された情報の正当性を確認することが可能となる。
【０１０１】
なお、本実施形態で説明したスタンプ合成サービスのサービス事業者は、電子メールの送信者および受信者のうち少なくとも一方から、そのサービス利用料金を徴収するようにしてもよい。以下、そのサービス利用料金の課金の具体例について説明する。
【０１０２】
予め、本実施形態におけるスタンプ合成サービスのサービス利用者（メール送信者・受信者）は、自身のメールアドレスを含む個人情報をサービス事業者側の利用登録装置（図示せず）に登録する。この利用登録装置は、基地局装置１０に接続されているものとする。
【０１０３】
スタンプ要求検出部１２が電子メールにスタンプ付加が要求されていることを検出すると、基地局装置１０に設けられている課金情報検出部（図示せず）は、その電子メールの送信元・送信先アドレスを検出する。課金情報検出部は、検出したアドレスを上記の利用登録装置に渡す。利用登録装置は、渡されたアドレスに対応した利用者に対して課金を行う。サービス事業者は、利用者から利用料金の徴収を行う。なお、課金対象は、スタンプ付加要求を行った電子メールの送信者であってもよいし、スタンプが合成された電子メールの受信者であってもよいし、また、その送受信者双方であってもよい。
【０１０４】
なお、その利用料金は、合成されるスタンプの内容に応じて決定されるとしてもよい。例えば、スタンプとして静止画像を合成する場合はＸ円、動画を合成する場合はＹ円、音声情報を合成する場合はＺ円などとしてもよい。この場合、基地局装置１０は、電子メールにスタンプ合成を要求する旨の情報を電子メール内に挿入するとともに、その合成要求するスタンプの種類（画像、映像、音声情報、またはその組み合わせなど）を示す情報を電子メール内に挿入する。課金情報検出部は、合成要求されているスタンプの種類を示す情報を電子メールから検出して利用登録装置に渡す。利用登録装置は、スタンプの種類を示す情報を受け取ると、自身に記録されているスタンプの種類と料金との対応を示すテーブルを参照して料金を算出し、利用者（メール送信者・受信者のうちの少なくとも一方）に対して課金する。
【０１０５】
また、以上説明した例では、スタンプを合成する段階で課金を行っていたが、上記のサーバ装置が問い合わせメールを受信した段階で、利用者（メール送信者・受信者のうちの少なくとも一方）に対して課金を行うようにしてもよい。
【０１０６】
また、以上説明した例ではサービスの利用回数ごとに課金していたが、サービス事業者側（利用登録装置）は、サービス利用者によるサービス利用回数にかかわらず、所定の期間ごと（例えば１か月ごと）に定額のサービス利用料金をサービス利用者に対して課金するようにしてもよい。
【０１０７】
以上説明したように、本実施形態によれば、基地局装置１０は、電子メールの予め情報の付加が許可されている空白部分に、基地局装置１０の設置位置および基地局装置１０による電子メール受信時期に関連する画像、映像、文字情報などを合成し、宛先の通信端末装置に合成した電子メールを送信する。従って、メール受信側のユーザは、メール送信側のユーザによる電子メール送信位置および送信時期を示す情報を取得することが可能となる。また、送信側ユーザの電子メール送信位置および送信時期を示す情報は、通信装置間のネットワーク上の基地局装置１０で付加されるため、高い信頼性が保証されている。
【０１０８】
また、本実施形態によれば、通信端末装置２０は、電子メールの本文中に空欄を設けて電子メールに対するスタンプ合成を要求する。従って、電子メール送信側のユーザは、簡易な操作により、自身の所在および現在時刻を高い信頼性で保証可能なスタンプを電子メールに合成させることを要求することが可能となる。
【０１０９】
（第２の実施形態の概要）
図１０は、本発明の第２の実施形態における電子メール配信システムを示すイメージ図である。以下、図１０を用いて、本実施形態の概要について説明する。なお、以下、特記しない限り、本実施形態における構成および動作は、第１の実施形態と同様であるとする。
【０１１０】
第１の実施形態では、基地局装置が電子メールにスタンプを合成していた。これに対し第２の実施形態では、電子メールの送受信を行う通信端末装置間に設置された電子メール合成装置が電子メールに対するスタンプの合成を行う。
【０１１１】
図１０に示されているように、電子メール送信側の通信端末装置は、本文中に空白部分を設けた電子メールを送信する。通信を行う通信端末装置間に設けられた電子メール合成装置は、送信された電子メールを受け取ると、ネットワーク上に設置されているホームロケーションレジスタから、送信側の通信端末装置が電子メールを送信した位置を示す位置情報を取得する。電子メール合成装置は、電子メールを受信した時期を示す時間情報および取得した位置情報に基づいて、電子メールの本文中の空白部分にスタンプを合成し、受信側の通信端末装置に合成した電子メールを送信する。
【０１１２】
受信側の通信端末装置が受信した電子メールには、本文中に通信端末装置によるメール送信位置および電子メール合成装置によるメール受信時期を示す情報（スタンプ）が付加されている。なお、電子メール合成装置におけるメール受信時期は、移動通信端末におけるメール送信時期を示すものとしてよい。従って、受信側のユーザは送信側のユーザが電子メールを送った位置（基地局装置のセルの位置）および時期を容易に把握することができる。
【０１１３】
（第２の実施形態の構成）
図１１は、本発明の第２の実施形態における電子メール配信システムの構成を示す図である。以下、図１１を用いて、本実施形態における電子メール配信システムの構成および動作について説明する。
【０１１４】
電子メール配信システムは、通信端末装置２０、３０と、ネットワーク４０と、基地局装置５０、７０と、電子メール合成装置６０と、ＨＬＲ（ホームロケーションレジスタ）８０とを有する。通信端末装置２０・基地局装置７０間、および通信端末装置３０・基地局装置５０間は、無線通信網を介して通信が行われる。また、基地局装置５０、７０は、ネットワーク４０に接続されている。
【０１１５】
通信端末装置２０は、無線による電子メール送信機能を備えた通信装置であって、例えば携帯電話機、ＰＨＳ、ＰＤＡ、またはノートブック型のパーソナルコンピュータなどであってもよい。通信端末装置２０は、基地局装置７０のサービスエリア（セル）内に位置する。
【０１１６】
通信端末装置２０は、スタンプ要求部２１と、メール送信部２２とを有する。スタンプ要求部２１は、送信する電子メールにスタンプ付加を要求するための情報を入力する。例えば、スタンプ要求部２１は、キースイッチが設けられた入力装置であるとしてもよい。メール送信部２２は、電子メールを送信する部位である。また、図示されていないが、通信端末装置２０は、画面上に情報を表示する表示部を有する。例えば、表示部は、ＬＣＤまたは有機ＥＬディスプレイなどであってもよい。
【０１１７】
基地局装置７０は、通信端末装置（通信端末装置２０）の接続を制御する無線局であって、送信機、受信機、およびアンテナなどから構成される。
【０１１８】
ネットワーク４０は、移動端末装置と基地局装置との無線区間以外の中継回線ネットワークであって、基地局制御装置、移動交換局装置、および関門交換局装置などを含むとしてよい。
【０１１９】
電子メール合成装置６０は、電子メールにスタンプを合成する情報処理装置であって、通信端末装置２０、３０間のネットワーク上（基地局装置５０、７０を除く）に設置されているか、もしくは通信端末装置２０、３０間のネットワークに接続されている。電子メール合成装置６０は、ネットワーク４０上の装置（基地局制御装置、移動交換局装置、または関門交換局装置など）に設けられているとしてもよい。
【０１２０】
電子メール合成装置６０は、メール受信部６１と、スタンプ要求検出部６２と、合成部６３と、位置情報取得部６４と、時間情報取得部６５と、コンテンツＤＢ６６と、メール送信部６７とを有する。
【０１２１】
メール受信部６１は、通信端末装置（通信端末装置２０）から送信された電子メールを受信する。
【０１２２】
スタンプ要求検出部６２は、メール受信部６１により受信された電子メールが、スタンプ付加が要求されているものか否かを判定する。
【０１２３】
合成部６３は、メール受信部６１により受信された電子メールにスタンプを合成する。
【０１２４】
位置情報取得部６４は、通信端末装置２０の位置情報取得を要求されると、自身に接続されているＨＬＲ８０に通信端末装置２０の位置情報を問い合わせる。
【０１２５】
時間情報取得部６５は、現在時刻を示す時間情報を格納している。例えば、時間情報取得部６５は、現在時刻を計測するタイマ機能を備えた部位であるとしてもよいし、時間情報の取得要求を受け取ると、接続されている他の機器から時間情報を取得するとしてもよい。
【０１２６】
コンテンツＤＢ６６は、コンテンツ（ファイル）を格納する。コンテンツとは、電子メールに付加するスタンプに用いられる画像、映像、文字情報、音声情報などであって、通信端末装置２０が位置する基地局のサービスエリア（セル）に関連する内容の情報、すなわち基地局装置７０の設置位置に関連する内容の情報である。また、コンテンツＤＢ６６は、各時間情報と通信端末装置２０が所属するセルと各コンテンツとの対応を示すテーブルを管理する。
【０１２７】
メール送信部６７は、メール受信部６１により受信された電子メールを送信する部位である。
【０１２８】
ＨＬＲ８０は、電子メール配信システムにより提供される通信サービスに加入する各ユーザの通信端末装置の位置情報を保持する部位であり、通信端末装置からの位置登録要求に応じて保持する位置情報を適時書き換える。また、ＨＬＲ８０は、位置情報取得部６４と接続されており、位置情報取得部６４からの取得要求に応じて、該当する通信端末装置の位置情報を位置情報取得部６４に送信する。
【０１２９】
基地局装置５０は、通信端末装置（通信端末装置３０）の接続を制御する無線局であって、送信機、受信機、およびアンテナなどから構成される。
【０１３０】
通信端末装置３０は、無線による電子メール受信機能を備えた通信装置であって、例えば携帯電話機、ＰＨＳ、ＰＤＡ、またはパーソナルコンピュータなどであってもよい。また、通信端末装置３０は、基地局装置５０のセル内に位置する。
【０１３１】
また、メール送信部２２はメール送信手段として、コンテンツＤＢ６６は位置関連情報格納手段として、メール受信部６１はメール受信手段として、合成部６３は合成手段として、メール送信部６７は合成メール送信手段として、時間情報取得部６５は時間情報取得手段として、位置情報取得部６４は、位置情報取得手段として、スタンプ要求部２１は合成要求手段としてそれぞれ機能する。
【０１３２】
（第２の実施形態の動作）
通信端末装置２０が電子メールを送信する動作は、図３に示される第１の実施形態における動作と同様であるとする。
【０１３３】
図１２は、本発明の第２の実施形態における電子メール合成装置６０による動作の流れを示すフローチャートである。以下、図１１を用い、図１２に沿って、本実施形態における電子メール合成装置６０による電子メールに対するコンテンツの合成動作について説明する。なお、本実施形態では、スタンプとして電子メールに合成するコンテンツは、通信端末装置２０が位置する基地局のサービスエリア（基地局装置１０のセル）に関連する画像であるとして説明を進める。
【０１３４】
まず、メール受信部６１は、通信端末装置２０から電子メールを受信する（ステップＳ３０１）。
【０１３５】
次に、スタンプ要求検出部６２は、メール受信部６１により受信された電子メールのヘッダを参照して、受信された電子メールに対してスタンプ付加が要求されているか否かを判断する（ステップＳ３０２）。
【０１３６】
受信された電子メールに対してスタンプ付加が要求されていないと判断された場合（ステップＳ３０２／Ｎｏ）、スタンプ要求検出部６２は、電子メールをメール送信部６７に渡す。メール送信部６７は、受け取った電子メールをそのまま宛先の通信端末装置（通信端末装置３０）に送信して（ステップＳ３０９）、電子メール合成装置６０は動作を終了する。
【０１３７】
電子メールに対してスタンプ付加が要求されていると判断された場合（ステップＳ３０２／Ｙｅｓ）、スタンプ要求検出部６２は、電子メールを合成部６３に渡す。合成部６３は、電子メールを受け取ると、電子メールを受け取った現在時刻を示す時間情報の取得を時間情報取得部６５に要求する。時間情報取得部６５は、時間情報の取得要求を受け取ると、現在時刻を示す時間情報を合成部６３に渡す（ステップＳ３０３）。
【０１３８】
次に、合成部６３は、スタンプ要求検出部６２から受け取った電子メールからサブスクライバＩＤ（Ｉｄｅｎｔｉｆｉｃａｔｉｏｎ）を検出する。サブスクライバＩＤとは、電子メール配信システムの通信サービスを提供するキャリア（電気通信事業者）が、その通信サービスを利用する各ユーザの通信端末装置に割り振る識別情報である。サブスクライバＩＤは、電子メール配信システムにおいて伝送されるパケットのヘッダ部に含まれているものとする。合成部６３は、電子メールに含まれているサブスクライバＩＤを検出して、その電子メールの送信元の通信端末装置（通信端末装置２０）を特定する。合成部６３は、電子メールから検出したサブスクライバＩＤを位置情報取得部６４に渡して、通信端末装置２０の位置情報の取得を位置情報取得部６４に要求する（ステップＳ３０４）。
【０１３９】
位置情報取得部６４は、合成部６３からサブスクライバＩＤを受け取ると、受け取ったサブスクライバＩＤを用いて、接続されているＨＬＲ８０に対して検索を行う（ステップＳ３０５）。
【０１４０】
図１３は、本発明の第２の実施形態におけるＨＬＲ８０が管理する位置情報を示す図である。図１３には、サブスクライバＩＤ１１３、１１４、１１５がそれぞれセルＩＤ１、２、３に対応していることが示されている。セルＩＤとは、各通信端末装置が所属するセルを示す位置情報（各通信端末装置が位置するセルの基地局装置を示す位置情報）である。図１３には、例えば、サブスクライバＩＤ１１３が割り振られている通信端末装置は、セルＩＤ１のセルに所属していることが示されている。
【０１４１】
位置情報取得部６４は、ＨＬＲ８０の管理情報を検索して、受け取ったサブスクライバＩＤに対応するセルＩＤを取得する（ステップＳ３０６）。例えば、位置情報取得部６４は、サブスクライバＩＤ１１３を受け取ると、ＨＬＲ８０の管理情報を検索し、サブスクライバＩＤ１１３に対応するセルＩＤ１を取得する。位置情報取得部６４は、取得したセルＩＤを合成部６３に渡す。このようにして、合成部６３は、電子メールの送信元である通信端末装置２０の位置情報を取得する。
【０１４２】
次に、合成部６３は、取得した時間情報および位置情報（セルＩＤ）を用いてコンテンツＤＢ６６を検索する（ステップＳ３０７）。
【０１４３】
図１４は、本発明の第２の実施形態におけるコンテンツＤＢ６６が管理するテーブルを示す図である。図１４に示されているように、テーブルでは、時間情報と位置情報（セルＩＤ）とコンテンツ（ファイル）とがそれぞれ対応付けられて管理されている。各コンテンツは、それぞれ対応するセルＩＤのセルの範囲に関連する内容のものであり、例えば、対応するセルにおける風景画像／映像であってもよいし、対応するセルの地域が含まれている地図情報であってもよい。また、コンテンツは、対応するセルに関連する内容の音声情報であってもよい。
【０１４４】
図１４において、「××：××−△△：△△」は、××時××分から△△時△△分の直前までの時間帯を示している。例えば、「１２：００−１５：００」は、１２時００分から１５時００分の直前までの時間帯を示している。ここで、時間情報が「１月１日の１２：００」であり、位置情報がセルＩＤ１である場合、合成部６３は、該当するファイルＡ１をコンテンツＤＢ６６から抽出する。
【０１４５】
なお、図１４のテーブルでは、時間帯とセルＩＤとの各組が、各コンテンツとが一対一対応となっているが、時間帯とセルＩＤとの各組に対して複数のコンテンツをそれぞれ対応させるようにしてもよい。その場合、合成部６３は、時間帯とセルＩＤの組に該当する複数のコンテンツのうちの１つをランダムに選択して抽出するようにしてもよい。また、図１４のテーブルでは、各時間帯と各コンテンツとを互いに対応付けて管理しているが、さらに時間情報の日付を対応付けて管理してもよい。
【０１４６】
合成部６３は、時間情報およびセルＩＤを用いてコンテンツ（例えばファイルＡ１）をコンテンツＤＢ６６から取得する。
【０１４７】
次に、合成部６３は、抽出したコンテンツ（例えばファイルＡ１）と、取得した時間情報（１月１日の１２：００）と、取得したセルＩＤに対応した文字情報とからなるスタンプを電子メールに合成する（ステップＳ３０８）。
【０１４８】
図１５は、本発明の第２の実施形態におけるセルＩＤと位置を示す文字情報との対応を示すテーブルを示す図である。例えば、図１５では、セルＩＤ１、２、３がそれぞれ、「多摩局」、「三田局」、「池袋局」の各文字情報に対応している。図１５のテーブルは、合成部６３により管理されている。
【０１４９】
以下、図９および図１５を用いて、本実施形態における電子メールに対するスタンプ合成について具体的に説明する。まず、合成部６３は、スタンプ合成の際、位置情報取得部６４から受け取ったセルＩＤに対応した文字情報を抽出する。例えば、合成部６３は、セルＩＤ１を受け取ると、図１５のテーブルを参照して文字情報「多摩局」を抽出する。
【０１５０】
図９には、スタンプ合成前の電子メールとスタンプ合成後の電子メールとが示されている。合成部６３は、電子メール上のスタンプ部に、コンテンツ（図９では通信端末装置２０が位置するセルにおける風景画像）と、セルＩＤに対応する文字情報（図９では「多摩局」の文字情報）と、時間情報取得部６５から受け取った時間情報（図９では１月１日１２：００）とをスタンプ部に合成する。
【０１５１】
合成部６３は、電子メールにスタンプ合成を行った後、スタンプ合成した電子メール（合成メール）をメール送信部６７に渡す。メール送信部６７は、受け取った合成メールをメールの宛先の通信端末装置３０に送信する（ステップＳ３０９）。その後、メール受信部３１が合成メールを受信すると、電子メール配信システムは、電子メールの配信動作を終了する。
【０１５２】
また、本実施形態においても、第１の実施形態と同様に、問い合わせメールによるスタンプの正当性の確認、および課金処理を行うことが可能である。課金処理については、第１の実施形態で基地局装置１０が行っていた処理を、本実施形態では電子メール合成装置６０が行う。
【０１５３】
以上説明したように、本実施形態によれば、電子メール合成装置６０は、電子メールの予め情報の付加が許可されている空白部分に、通信端末装置２０が所属するセルの位置および電子メール合成装置６０による電子メール受信時期に関連する画像、映像、文字情報などを合成し、宛先の通信端末装置に合成した電子メールを送信する。従って、メール受信側のユーザは、メール送信側のユーザによる電子メール送信位置および送信時期を示す情報を取得することが可能となる。また、送信側ユーザの電子メール送信位置および送信時期を示す情報は、通信端末装置間のネットワーク上で付加されるため、高い信頼性が保証されている。
【０１５４】
また、通信端末装置２０は、情報を表示する処理と、電子メールを作成する処理と、電子メールにスタンプ合成を要求する情報を入力する処理と、電子メールを送信する処理とを行う。
【０１５５】
また、基地局装置１０は、電子メールを受信する処理と、電子メールにスタンプ合成が要求されているか否か判定する処理と、時間情報を取得する処理と、基地局装置１０の設置位置を示す情報を格納する処理と、コンテンツを格納する処理と、時間情報に基づいてコンテンツを抽出する処理と、電子メールにスタンプを合成する処理と、電子メールを送信する処理とを行う。
【０１５６】
また、通信端末装置３０は、電子メールを受信する処理を行う。
【０１５７】
また、電子メール合成装置６０は、電子メールを受信する処理と、電子メールにスタンプ合成が要求されているか否か判定する処理と、時間情報を取得する処理と、通信端末装置２０の位置情報をＨＬＲ８０から取得する処理と、コンテンツを格納する処理と、時間情報および位置情報に基づいてコンテンツを抽出する処理と、電子メールにスタンプを合成する処理と、電子メールを送信する処理とを行う。
【０１５８】
ＨＬＲ８０は、電子メール配信システムにおける通信端末装置の位置情報を格納する処理を行う。
【０１５９】
上記の処理は、基地局装置１０、通信端末装置２０、３０、電子メール合成装置６０、またはＨＬＲ８０が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１６０】
なお、上記の実施形態は本発明の好適な実施の一例であり、本発明の実施形態は、これに限定されるものではなく、本発明の要旨を逸脱しない範囲において種々変形して実施することが可能となる。
【０１６１】
【発明の効果】
以上説明したように、本発明によれば、基地局装置は、電子メールの予め情報の付加が許可されている空白部分に、基地局装置の設置位置および基地局装置による電子メール受信時期に関連する電子情報を合成し、宛先の通信端末装置に合成した電子メールを送信する。従って、メール受信側のユーザは、メール送信側のユーザによる電子メール送信位置および送信時期を示す情報を取得することが可能となる。また、送信側ユーザの電子メール送信位置および送信時期を示す情報は、通信端末装置間のネットワーク上の基地局装置で付加されるため、高い信頼性が保証されている。
【０１６２】
また、本発明によれば、電子メール送信側の通信端末装置は、電子メールの本文中に空欄を設けて電子メールに対するスタンプ合成を要求する。従って、電子メール送信側のユーザは、簡易な操作により、自身の所在および現在時刻を高い信頼性で保証可能なスタンプを電子メールに合成させることを要求することが可能となる。
【０１６３】
また、本発明によれば、電子メール合成装置は、電子メールの予め情報の付加が許可されている空白部分に、通信端末装置が位置する基地局のサービスエリアおよび電子メール合成装置による電子メール受信時期に関連する電子情報を合成し、宛先の通信端末装置に合成した電子メールを送信する。従って、メール受信側のユーザは、メール送信側のユーザによる電子メール送信位置および送信時期を示す情報を取得することが可能となる。また、送信側ユーザの電子メール送信位置および送信時期を示す情報は、通信端末装置間のネットワーク上で付加されるため、高い信頼性が保証されている。
【図面の簡単な説明】
【図１】本発明の第１の実施形態における電子メール配信システムを示すイメージ図である。
【図２】本発明の第１の実施形態における電子メール配信システムの構成を示す図である。
【図３】本発明の第１の実施形態における通信端末装置による動作の流れを示すフローチャートである。
【図４】本発明の第１の実施形態において、電子メールに対してスタンプ挿入を要求する場合の電子メール作成画面を示す図である。
【図５】本発明の第１の実施形態において、電子メールに対してスタンプ挿入を要求しない場合の電子メール作成画面を示す図である。
【図６】本発明の第１の実施形態における電子メール作成画面の変形例を示す図である。
【図７】本発明の第１の実施形態における基地局装置による動作の流れを示すフローチャートである。
【図８】本発明の第１の実施形態におけるコンテンツＤＢが管理するテーブルを示す図である。
【図９】本発明の第１の実施形態における基地局装置によるスタンプ合成の一例を示す図である。
【図１０】本発明の第２の実施形態における電子メール配信システムを示すイメージ図である。
【図１１】本発明の第２の実施形態における電子メール配信システムの構成を示す図である。
【図１２】本発明の第２の実施形態における電子メール合成装置による動作の流れを示すフローチャートである。
【図１３】本発明の第２の実施形態におけるＨＬＲが管理する位置情報を示す図である。
【図１４】本発明の第２の実施形態におけるコンテンツＤＢが管理するテーブルを示す図である。
【図１５】本発明の第２の実施形態におけるセルＩＤと位置を示す文字情報との対応を示すテーブルを示す図である。
【符号の説明】
１〜３  セルＩＤ
１０、５０、７０  基地局装置
１１、３１、６１  メール受信部
１２、６２  スタンプ要求検出部
１３、６３  合成部
１４  ＢＳ位置情報記憶部
１５、６５  時間情報取得部
１６、６６  コンテンツＤＢ
１７、２２、６７  メール送信部
２０、３０  通信端末装置
２１  スタンプ要求部
４０  ネットワーク
６０  電子メール合成装置
６４  位置情報取得部
８０  ＨＬＲ
１０１  ヘッダ部
１０２  本文
１０３  スタンプ部
１０４  送信キー
１０５  スタンプ送信キー
１１３〜１１５  サブスクライバＩＤ
【図１】
2004185141.tif 000003
【図２】
2004185141.tif 000004
【図３】
2004185141.tif 000005
【図４】
2004185141.tif 000006
【図５】
2004185141.tif 000007
【図６】
2004185141.tif 000008
【図７】
2004185141.tif 000009
【図８】
2004185141.tif 000010
【図９】
2004185141.tif 000011
【図１０】
2004185141.tif 000012
【図１１】
2004185141.tif 000013
【図１２】
2004185141.tif 000014
【図１３】
2004185141.tif 000015
【図１４】
2004185141.tif 000016
【図１５】
2004185141.tif 000017